(57)【要約】【課題】  小屋裏に設けた断熱材と、屋根面材との間に換気通路を形成するに際し、換気通路を安定的に形成するとともに、断熱材に雨水がかかることを防止すること。【解決手段】  小屋裏２０Ａに設けた断熱材２９と、屋根面材２５との間に換気通路３１を形成する小屋裏換気構造において、断熱材２９を換気通路３１に対して被う断熱堰板４０を設けたもの。【選択図】  図１
2005163490.tif 000002
【特許請求の範囲】
【請求項１】
小屋裏に設けた断熱材と、屋根面材との間に換気通路を形成する小屋裏換気構造におい
て、
断熱材を換気通路に対して被う断熱堰板を設けたことを特徴とする小屋裏換気構造。
【請求項２】
前記断熱堰板が相隣るたるきの間に設けられ、該堰板の両側取付片をたるきに取付けて
なる請求項１に記載の小屋裏換気構造。
【請求項３】
前記換気通路の換気導入口を軒天井に開口し、該換気導入口を水切により塞ぎ、該水切
に多数の換気孔を設けた請求項１又は２に記載の小屋裏換気構造。
【請求項４】
前記水切が外壁から軒天井に渡って設けられ、該水切の一端部が外壁面材の上部を被う
請求項３に記載の小屋裏換気構造。
【請求項５】
前記換気導入口の開口縁に水返しを設けた請求項３又は４に記載の小屋裏換気構造。
【発明の詳細な説明】
【技術分野】
【０００１】
本発明は小屋裏換気構造に関する。
【背景技術】
【０００２】
小屋裏換気構造として、特許文献１に記載の如く、小屋裏に設けた断熱材と、屋根面材
との間に換気通路を形成するものがある。この小屋裏換気構造によれば、軒天井に開口し
た換気導入口から吸引した空気を棟に形成した排気孔から排気し、小屋裏の高温空気を屋
外に換気できるし、断熱層も形成できる。
【特許文献１】特開平10-238046
【発明の開示】
【発明が解決しようとする課題】
【０００３】
特許文献１の小屋裏換気構造には以下の問題点がある。
(1)小屋裏に設けた断熱材と、屋根面材との間に所定の間隔（面積）の換気通路を安定
的に形成することに困難がある。特に、断熱材が経時的に変形したとき、換気通路が狭小
化したり、閉塞するおそれがある。
【０００４】
(2)換気通路に浸入した雨水が断熱材にかかり、断熱材の断熱性能を損なうおそれがあ
る。
【０００５】
本発明の課題は、小屋裏に設けた断熱材と、屋根面材との間に換気通路を形成するに際
し、換気通路を安定的に形成するとともに、断熱材に雨水がかかることを防止することに
ある。
【課題を解決するための手段】
【０００６】
請求項１の発明は、小屋裏に設けた断熱材と、屋根面材との間に換気通路を形する小屋
裏換気構造において、断熱材を換気通路に対して被う断熱堰板を設けたものである。
【０００７】
請求項２の発明は、請求項１の発明において更に、前記断熱堰板が相隣るたるきの間に
設けられ、該堰板の両側取付片をたるきに取付けてなるようにしたものである。
【０００８】
請求項３の発明は、請求項１又は２の発明において更に、前記換気通路の換気導入口を
軒天井に開口し、該換気導入口を水切により塞ぎ、該水切に多数の換気孔を設けたもので
ある。
【０００９】
請求項４の発明は、請求項３の発明において更に、前記水切が外壁から軒天井に渡って
設けられ、該水切の一端部が外壁面材の上部を被うようにしたものである。
【００１０】
請求項５の発明は、請求項３又は４の発明において更に、前記換気導入口の開口縁に水
返しを設けたものである。
【発明の効果】
【００１１】
（請求項１）
(a)小屋裏に断熱材を設けながら、断熱材を被う断熱堰板と屋根面材との間に換気通路
を形成する。断熱堰板は、屋根面材との間に所定の間隔（面積）をなす換気通路を安定的
に形成できる。
【００１２】
(b)雨水が換気通路に浸入したとしても、雨水は断熱堰板の存在により、断熱にかかる
ことがない。従って、断熱材の断熱性能を損なうことがない。
【００１３】
（請求項２）
(c)断熱堰板は、両側取付片をたるきに取付けることにより、簡易かつ正確に取付けで
きる。
【００１４】
（請求項３）
(d)軒天井に開口した換気導入口を水切により塞ぎ、この水切に多数の換気孔を設けた
から、換気通路への雨水の浸入を防ぎ、かつ鳥や虫等の小動物の侵入を防ぐことができる
。
【００１５】
（請求項４）
(e)水切の一端部が外壁面材の上部を被うことにより、外壁面材の上部を凍害から保護
できる。
【００１６】
（請求項５）
(f)換気導入口の開口縁に水返しを設けることにより、換気通路への雨水の浸入を防ぐ
ことができる。
【発明を実施するための最良の形態】
【００１７】
図１は小屋裏換気構造を示す断面図、図２は屋根ユニットを示す斜視図、図３は断熱堰
板の取付状態を示す斜視図、図４は断熱堰板を示す斜視図、図５は水切を示し、（Ａ）は
正面図、（Ｂ）は端面図、図６は第１水返しを示し、（Ａ）は正面図、（Ｂ）は端面図、
図７は第２水返しを示し、（Ａ）は正面図、（Ｂ）は端面図である。
【実施例】
【００１８】
建物１は、図１に示す如く、下階建物ユニット１０の上部に屋根ユニット２０を搭載し
たものである。
【００１９】
下階建物ユニット１０は、床パネル（不図示）の外縁部に壁パネル１１を立設したもの
である。壁パネル１１は、内壁面材１２、外壁面材１３、断熱材１４を備える。
【００２０】
屋根ユニット２０は、図２に示す如く、トラス２１及び小壁２２の上に屋根枠組２３を
接合し、屋根枠組２３を構成するたるき２４の上面に屋根面材２５を設けるとともに、た
るき２４の軒側下面には軒天井２６を設け、たるき２４の下部に取付けた頭つなぎ２７を
下階建物ユニット１０の壁パネル１１に接合し、建物１に勾配屋根２を形成する。屋根ユ
ニット２０は、下階建物ユニット１０のための天井面材２８を備え、天井面材２８の上部
の小屋裏２０Ａに断熱材２９を備える。
【００２１】
以下、建物１０の小屋裏換気構造について説明する。
建物１は、小屋裏２０Ａに設けた断熱材２９と、屋根面材２５との間に換気通路３１を
形成する。換気通路３１の換気導入口３１Ａは、軒天井２６の頭つなぎ２７に臨む上端部
に開口される。換気導入口３１Ａから吸引した空気を棟に形成した排気孔（不図示）から
排気し、小屋裏２０Ａの高温空気を屋外に換気するものである。
【００２２】
建物１は、図１、図２に示す如く、小屋裏２０Ａの断熱材２９を換気通路３１に対して
被う断熱堰板４０を屋根ユニット１０に有する。断熱堰板４０は、図３、図４に示す如く
、金属板等の板材の折り曲げ成形体であり、小屋裏２０Ａにおける頭つなぎ２７の上部に
位置する断熱材２９の前面を被う前板部４１と、小屋裏２０Ａの屋根面材２５に平行に沿
う断熱材２９の勾配面を被う斜め板部４２とを有する。断熱堰板４０は、前板部４１の下
縁に折り曲げ形成した下取付片４１Ａ、前板部４１の両側縁に折り曲げ形成した横取付片
４４１Ｂ、斜め板部４２の両側縁に折り曲げ形成した上取付片４２Ａを備える。下取付片
４１Ａ、横取付片４１Ｂは断熱材２９の側に折り曲げ形成され、上取付片４２Ａは断熱材
２９の反対側たる上向きに折り曲げ形成される。断熱堰板４０は、図３に示す如く、相隣
るたるき２４の間に挿入され、下取付片４１Ａを頭つなぎ２７に、両側横取付片４１Ｂと
両側上取付片４２Ａを相隣るたるき２４にそれぞれ、タッカー止め（釘打ちでも可）され
る。断熱堰板４０の前板部４１、斜め板部４２が屋根面材２５との間に換気通路３１を形
成し、特に斜め板部４２は屋根面材２５との間に所定の間隔の換気通路３１を形成する。
【００２３】
建物１は、図１に示す如く、換気導入口３１Ａを塞ぐ水切５０を有する。水切５０は、
下階建物ユニット１０の外壁面材１３から屋根ユニット２０の軒天井２６における換気導
入口３１Ａの下方側に渡って設けられる。水切５０の一端折り曲げ部５１はスポンジ状封
止材５１Ａを介して外壁面材１３の上部を被うように壁パネル１１の上側外面に固定され
、水切５０の他端折り曲げ部５２は軒天井２６の下面に固定される。水切５０は、図５に
示す如く、換気導入口３１Ａに沿う長尺状をなし、多数のスリット状の換気孔５３を備え
る。
【００２４】
建物１は、図１に示す如く、換気導入口３１Ａの開口縁に沿う長尺状の第１と第２の水
返し６１、６２を有する。第１水返し６１は、図６に示す如く、換気導入口３１Ａの上側
に位置する頭つなぎ２７に取付片６１Ａを固定され、たるき２４の下面に沿う方向に延出
し、換気導入口３１Ａを一部遮断する。第２水返し６２は、図７に示す如く、換気導入口
３１Ａの下側に位置する軒天井２６に取付片６２Ａを固定され、軒天井２６の側から直角
に起立し、換気導入口３１Ａを一部遮断する。
【００２５】
本実施例によれば以下の作用効果を奏する。
(a)小屋裏２０Ａに断熱材２９を設けながら、断熱材２９を被う断熱堰板４０と屋根面
材２５との間に換気通路３１を形成する。断熱堰板４０は、屋根面材２５との間に所定の
間隔（面積）をなす換気通路３１を安定的に形成できる。
【００２６】
(b)雨水が換気通路３１に浸入したとしても、雨水は断熱堰板４０の存在により、断熱
材２９にかかることがない。従って、断熱材２９の断熱性能を損なうことがない。
【００２７】
(c)断熱堰板４０は、両側取付片４１Ｂ、４２Ａをたるき２４に取付けることにより、
簡易かつ正確に取付けできる。
【００２８】
(d)軒天井２６に開口した換気導入口３１Ａを水切５０により塞ぎ、この水切５０に多
数の換気孔５３を設けたから、換気通路３１への雨水の浸入を防ぎ、かつ鳥や虫等の小動
物の侵入を防ぐことができる。
【００２９】
(e)水切５０の一端部が外壁面材１３の上部を被うことにより、外壁面材１３の上部を
凍害から保護できる。
【００３０】
(f)換気導入口３１Ａの開口縁に水返し６１、６２を設けることにより、換気通路３１
への雨水の浸入を防ぐことができる。
【００３１】
以上、本発明の実施例を図面により記述したが、本発明の具体的な構成はこの実施例に
限られるものではなく、本発明の要旨を逸脱しない範囲の設計の変更等があっても本発明
に含まれる。
【図面の簡単な説明】
【００３２】
【図１】図１は小屋裏換気構造を示す断面図である。
【図２】図２は屋根ユニットを示す斜視図である。
【図３】図３は断熱堰板の取付状態を示す斜視図である。
【図４】図４は断熱堰板を示す斜視図である。
【図５】図５は水切を示し、（Ａ）は正面図、（Ｂ）は端面図である。
【図６】図６は第１水返しを示し、（Ａ）は正面図、（Ｂ）は端面図である。
【図７】図７は第２水返しを示し、（Ａ）は正面図、（Ｂ）は端面図である。
【符号の説明】
【００３３】
１３  外壁面材
２０Ａ  小屋裏
２４  たるき
２５  屋根面材
２６  軒天井
２９  断熱材
３１  換気通路
３１Ａ  換気導入口
４０  断熱堰板
４１Ｂ、４２Ａ  取付片
５０  水切
５３  換気孔
６１、６２  水返し
【図１】
2005163490.tif 000003
【図２】
2005163490.tif 000004
【図３】
2005163490.tif 000005
【図４】
2005163490.tif 000006
【図５】
2005163490.tif 000007
【図６】
2005163490.tif 000008
【図７】
2005163490.tif 000009